(57)【特許請求の範囲】
【請求項１】
第１の螺子部を有する脚本体と、
前記脚本体を貫通させる開口部、及び、前記第１の螺子部に回転可能に螺合する第２の螺子部、を有する脚支持部と、
を備え、
前記脚支持部は、前記開口部に突出するＮ個（Ｎは自然数）の突出部を有し、
前記脚本体は、前記突出部と少なくとも同数であって前記突出部と係合可能な突起部又は凹部を有し、
１個の前記突起部は、１個の突出突起、又は２個の突起間に谷部が形成された形状であり、
前記突出部、前記突起部、前記凹部は、前記脚本体の軸方向の幅が前記第１の螺子部の螺子ピッチの１／Ｎよりも小さく形成されており、
前記突出部は複数個（Ｎ≧２）であって、前記複数個の突出部は前記開口部の周縁に等間隔に配置され、前記複数個の突出部は同時に前記突起部又は凹部と係合することを特徴とするアジャスタ。
【請求項２】
第１の螺子部を有する脚本体と、
前記脚本体を貫通させる開口部、及び、前記第１の螺子部に回転可能に螺合する第２の螺子部、を有する脚支持部と、
を備え、
前記脚支持部は、前記開口部に突出するＮ個（Ｎは自然数）の突出部を有し、
前記脚本体は、前記突出部と少なくとも同数であって前記突出部と係合可能な突起部又は凹部を有し、
１個の前記突起部は、１個の突出突起、又は２個の突起間に谷部が形成された形状であり、
前記突出部、前記突起部、前記凹部は、前記脚本体の軸方向の幅が前記第１の螺子部の螺子ピッチの１／Nよりも小さく形成されており、
前記１個の突起部が、前記１個の突出突起からなる場合、前記突出部は、二山形状として突出部の中央先端に窪みを有することを特徴とするアジャスタ。
【請求項３】
前記突出部は１個（Ｎ＝１）であって、前記突起部又は凹部は１個乃至３個であることを特徴とする請求項２に記載されたアジャスタ。
【請求項４】
前記突出部は複数個（Ｎ≧２）であって、前記複数個の突出部は前記開口部の周縁に等間隔に配置され、前記複数個の突出部は同時に前記突起部又は凹部と係合することを特徴とする請求項２に記載されたアジャスタ。
【請求項５】
前記脚本体は、脚頭部及び脚柱部を有し、
前記脚支持部は、前記脚柱部を収納可能とする筒部を有し、
前記第１の螺子部は雄螺子部、前記第２の螺子部は雌螺子部であることを特徴とする請求項１又は請求項２に記載されたアジャスタ。
【請求項６】
前記１個の突起部が、前記２個の突起間に谷部が形成された形状からなる場合、前記突出部は単一の一山形状とされることを特徴とする請求項１乃至請求項５の何れかに記載されたアジャスタ。
【請求項７】
前記１個の突起部が、前記１個の突出突起からなる場合、前記突出部は、二山形状として突出部の中央先端に窪みを有することを特徴とする請求項１に記載されたアジャスタ。
【請求項８】
前記突出部は、前記開口部に沿った円弧状の溝部と開口部との間に形成される弾性変形部に設けられていることを特徴とする請求項１乃至請求項７の何れかに記載されたアジャスタ。
【請求項９】
前記脚支持部は、電子機器の底板に設けられ、前記脚本体の複数回の回転が可能とされていることを特徴とする請求項１乃至請求項８の何れかに記載されたアジャスタ。
【請求項１０】
前記脚支持部はツマミ部を有し、前記開口部は前記筒部の内周に設けられた環状突出板に形成され、前記脚支持部が電子機器の底板に対して回転可能とされていることを特徴とする請求項５に記載されたアジャスタ。
【請求項１１】
底部に３個又は４個の脚を有し、前記脚の内、少なくとも１個が請求項１乃至請求項１０の何れかに記載されたアジャスタであることを特徴とする電子機器。
【請求項１２】
３個の脚を底部の底板に有し、１個の前記脚を前脚とし、２個の前記脚を後脚とすると共に、前記後足の一方が請求項１乃至請求項７の何れかに記載されたアジャスタとされたプロジェクタであることを特徴とする請求項１１に記載された電子機器。
【請求項１３】
筐体の底部に設けられた１個の前脚と、
前記底部に設けられ、固定式の後脚と、
前記底部に設けられ、アジャスタを有する後調整脚と、
を備え、
前記アジャスタは、第１の螺子部を有する脚本体と、前記脚本体を貫通させる開口部が形成され、前記第１の螺子部に回転可能に螺合する第２の螺子部を有する脚支持部と、を有し、
前記脚支持部は、前記開口部に突出するＮ個（Ｎは自然数）の突出部を有し、
前記脚本体は、前記突出部と少なくとも同数であって前記突出部と係合可能な突起部又は凹部を有し、
１個の前記突起部は、１個の突出突起、又は２個の突起間に谷部が形成された形状であり、
前記突出部、前記突起部、前記凹部は、前記脚本体の軸方向の幅が前記第１の螺子部の螺子ピッチの１／Ｎよりも小さく形成されており、
前記脚支持部の前記突出部と、前記二山形状の突起部又は前記凹部と、の係合したときの前記後調整脚の前記筐体から突出する量と前記固定式の後脚の突出する量が一致しており、
前記後調整脚の突出量を、前記固定脚の突出する量よりも短くする回転又は長くする回転により増減させて前記筐体を調整することを特徴とする電子機器。
【発明の詳細な説明】
【技術分野】
【０００１】
本発明は、電子機器を水平状態に安定させた設置を容易とするアジャスタ、及び、このアジャスタを備えた電子機器に関する。
【背景技術】
【０００２】
今日、電子機器の脚部には、アジャスタと呼ばれる高さ調整を可能とする脚を有する装置が多々使用されている。
【０００３】
この電子機器の高さ調整を可能とするアジャスタと呼ばれる脚部装置では、脚柱の外周面に形成した雄螺子と係合するロック用リブをレバー装置により離間可能とするものがある（例えば特許文献１）。
【０００４】
この脚部装置は、ロック用リブを脚柱の外周面に接触させてロック用リブのロック溝と脚柱の外周面に形成した雄螺子とを螺合させ、脚柱を回転させて脚の捻じ込みや引出しを可能として微小な高さ調整を可能としている。
【０００５】
また、レバー装置によりロック用リブを脚柱の外周面から離間させたときは、指先で脚の先端を摘み、脚柱をスライドさせるようにして脚の押し込み又は引出しを行って、脚の長さを容易に大きく変化させることができる。
【０００６】
また、多くの電子機器では、脚の脚柱外周に雄螺子を形成し、且つ、電子機器の底部に設けた脚取付け部に雌螺子を形成し、雄螺子を形成した脚柱を単純に脚取付け部に捻じ込で貫通させ、脚を回転させて脚の脚取付け部に対する突出量を調整可能としている。
【０００７】
そして、電子機器に設けられる複数の脚は、通常３個又は４個が底部に設けられ、３個又は４個の全ての脚、又はその一部の脚が高さ調整可能とされる。
【先行技術文献】
【特許文献】
【０００８】
【特許文献１】特開２０１１―１１２１１６号公報
【発明の概要】
【発明が解決しようとする課題】
【０００９】
上述の様にアジャスタとしての脚を有する電子機器が載置される机上や床面は、電子機器の各脚が接する位置に多少の凹凸、又は電子機器の設置場所が多少傾斜していることもあるが、多くの場合は水平に近い平坦な状態であることが多い。
【００１０】
このため、各脚の装置底部からの突出量が同一であれば、高さ調整を必要としない場合も多くあり、各脚の長さを揃えた基準長さを初期設定とすることが望まれるも、脚を底部に限界まで捻じ込んだ最短の長さとする他には、各脚の長さが揃っているのかの判別が困難であった。
【００１１】
本発明は、上述の欠点を排し、アジャスタとされる脚の基準長さが容易に判別できるアジャスタ及びこのアジャスタとされた長さ調整可能な脚を備えた電子機器を提供する。
【課題を解決するための手段】
【００１２】
本発明に係るアジャスタは、第１の螺子部を有する脚本体と、前記脚本体を貫通させる開口部、及び、前記第１の螺子部に回転可能に螺合する第２の螺子部、を有する脚支持部と、を備え、前記脚支持部は、前記開口部に突出するＮ個（Ｎは自然数）の突出部を有し、前記脚本体は、前記突出部と少なくとも同数であって前記突出部と係合可能な突起部又は凹部を有し、１個の前記突起部は、１個の突起、又は２個の突起間に谷部が形成された形状であり、前記突出部、及び、前記突起部又は前記凹部は、前記脚本体の軸方向の幅が前記第１の螺子部の螺子ピッチの１／Ｎよりも小さく形成されており、前記突出部は複数個（Ｎ≧２）であって、前記複数個の突出部は前記開口部の周縁に等間隔に配置され、前記複数個の突出部は同時に前記突起部又は凹部と係合することを特徴とする。
また、本発明に係るアジャスタは、第１の螺子部を有する脚本体と、前記脚本体を貫通させる開口部、及び、前記第１の螺子部に回転可能に螺合する第２の螺子部、を有する脚支持部と、を備え、前記脚支持部は、前記開口部に突出するＮ個（Ｎは自然数）の突出部を有し、前記脚本体は、前記突出部と少なくとも同数であって前記突出部と係合可能な突起部又は凹部を有し、１個の前記突起部は、１個の突出突起、又は２個の突起間に谷部が形成された形状であり、前記突出部、前記突起部、前記凹部は、前記脚本体の軸方向の幅が前記第１の螺子部の螺子ピッチの１／Nよりも小さく形成されており、前記１個の突起部が、前記１個の突出突起からなる場合、前記突出部は、二山形状として突出部の中央先端に窪みを有することを特徴とする。
【００１３】
また、本発明に係る電子機器は、底部に３個又は４個の脚を有し、前記脚の内、少なくとも１個が上記本発明に係るアジャスタであることを特徴とする。
更に、本発明に係る電子機器は、筐体の底部に設けられた１個の前脚と、前記底部に設けられ、固定式の後脚と、前記底部に設けられ、アジャスタを有する後調整脚と、を備え、前記アジャスタは、第１の螺子部を有する脚本体と、前記脚本体を貫通させる開口部が形成され、前記第１の螺子部に回転可能に螺合する第２の螺子部を有する脚支持部と、を有し、前記脚支持部は、前記開口部に突出するＮ個（Ｎは自然数）の突出部を有し、前記脚本体は、前記突出部と少なくとも同数であって前記突出部と係合可能な突起部又は凹部を有し、１個の前記突起部は、１個の突出突起、又は２個の突起間に谷部が形成された形状であり、前記突出部、前記突起部、前記凹部は、前記脚本体の軸方向の幅が前記第１の螺子部の螺子ピッチの１／Ｎよりも小さく形成されており、前記脚支持部の前記突出部と、前記二山形状の突起部又は前記凹部と、の係合したときの前記後調整脚の前記筐体から突出する量と前記固定式の後脚の突出する量が一致しており、前記後調整脚の突出量を、前記固定脚の突出する量よりも短くする回転又は長くする回転により増減させて前記筐体を調整することを特徴とする。
【発明の効果】
【００１４】
本発明のアジャスタは、容易に基準位置を知ることができるため、基準長さからより長く又はより短くして、電子機器の水平調整を容易に行うことができる。
【図面の簡単な説明】
【００１５】
【図１】本発明の第１の実施形態としての電子機器の外観を示す図。
【図２】本発明の第１の実施形態としてのアジャスタの構造を示す一部断面図。
【図３】本発明の第１の実施形態としてのアジャスタの要部を示す斜視図。
【図４】本発明の第１の実施形態としてのアジャスタの要部を示す一部断面平面図。
【図５】本発明の第１の実施形態の変形例としてのアジャスタの要部を示す一部断面    平面図。
【図６】本発明の第２の実施形態としてのアジャスタの要部を示す斜視図。
【図７】本発明の第２の実施形態としてのアジャスタの構造を示す一部断面図。
【図８】本発明の第２の実施形態としてのアジャスタの要部を示す一部断面平面図。
【図９】本発明の第２の実施形態の変形例としてのアジャスタの要部を示す一部断面    平面図。
【発明を実施するための形態】
【００１６】
（第１の実施形態）
本発明に係る電子機器の一例として、図１に示すように卓上に設置されることの多いプロジェクタを説明する。
【００１７】
この電子機器であるプロジェクタは、図１に示したように、略立方体形状の筐体１０を有し、筐体１０の前面に投影レンズを設ける投影口１７を有して図示しないスクリーンに画像を投影可能とする。
【００１８】
この筐体１０は、略平板状の上面板１２の周囲から垂下する側壁１３を備えた上ケースと略平板状の底板１１とで構成され、上ケースに底板１１をネジ穴１５に挿入した図示しない螺子により固定し、光源装置や制御装置、投影レンズ等を内蔵する。
【００１９】
そしてこのプロジェクタは、前面や側面の側壁１３に吸排気孔１９を有して筐体１０内部の発熱源を冷却可能とし、机上でスクリーンに向けて前方を高くし、且つ、左右方向には水平とするように設置されて投影を行う。
【００２０】
そして、このプロジェクタは筐体１０の底板１１に３個の脚を有し、１個の前脚５１は高さ調整幅を大きくし、スライド式の引出し及び押し込み操作により、脚の長さ調整を可能とし、通常はプロジェクタよりも高い位置に設けられるスクリーンに画像光を投影するようにプロジェクタを傾斜させる。
【００２１】
また、２個の後脚は、１個を固定式の後脚５３として脚長さを固定し、他の１個の後脚は長さ調整が可能なアジャスタとしての後調整脚５５として、プロジェクタの左右方向を水平とすることにより、画像の水平を確保するようにしている。
【００２２】
この後調整脚５５は、図２に示すように、端部に脚頭部６１を有し、脚頭部６１よりも直径の小さな円柱状の脚柱部６３と脚柱部６３よりも直径が小さく、外周に雄螺子が形成される雄螺子部６５を有する脚本体６０と、雄螺子部６５に螺合する雌螺子部３１を備えた筒部２５や、図３に示すように、開口部３３側に突出する突出部３６を備える弾性変形部３５等により形成される脚支持部２３と、により構成している。
【００２３】
この脚本体６０における脚頭部６１は、弾力性を有する円板状のパッド６２を端面に有し、短円柱形状とされる脚頭部６１の外周面にはローレット加工が施され、指先で脚頭部６１を摘んで脚本体６０を容易に回転させることができるようにされる。
【００２４】
また、脚柱部６３は、アジャスタとした後調整脚５５の調整可能変化幅とされる長さよりも長い長さとし、例えばアジャスト幅を６ミリメートルとする当該後調整脚５５では、１センチメール余りの長さとしている。
【００２５】
更に、この脚柱部６３は、その中間高さ位置に２個の突起７１を周方向に隣接させることにより二山形状とされる突起部を有し、この２個の突起７１による突起部は、脚柱部６３の軸方向となる厚さｔを雄螺子部６５のピッチ幅よりも小さな厚さとされる板状とし、脚柱部６３の円周方向には２個の突起７１の間に谷部７３を形成している。
【００２６】
そして、雄螺子部６５は、雌螺子部３１と螺合して脚本体６０を支持し、脚本体６０の回転により脚頭部６１の底板１１からの突出量を調整可能とする。
【００２７】
尚、脚本体６０は、雄螺子部６５の端部に先端部６７を有し、先端部６７は二股形状とされると共に外方に突出する係合爪７９を有する。従って、二股形状とされた先端部６７の両先端を外力によって閉じるように変形させない限り、係合爪７９が雌螺子部３１の先端に係合して雄螺子部６５が雌螺子部３１から抜けないようにして、脚本体６０が脚支持部２３から脱落することを防止している。
【００２８】
そして、脚支持部２３は、図２及び図３に示したように、底板１１の隅角部に形成する脚取付け部２１おいて、底板１１の内側に配置される円筒状の筒部２５を有し、筒部２５の先端には雌螺子部３１を有する。
【００２９】
更に、脚支持部２３は、脚柱部６３に設けた突起７１の突出高さと脚柱部６３の半径との和よりも僅かに大きな半径とされる開口部３３を脚取付け部２１に有し、この開口部３３に脚本体６０を貫通させている。
【００３０】
また、脚支持部２３は、開口部３３の周辺に沿って形成した円弧形状の溝部である緩衝溝部３７を有し、緩衝溝部３７と開口部３３との間に薄板状の弾性変形部３５を形成している。
【００３１】
そして、この弾性変形部３５は、脚本体６０の軸方向幅である上下方向の厚みを雌螺子部３１のピッチ、即ち雄螺子部６５のピッチ幅よりも小さな厚さとし、中央に開口部３３側に突出する突出部３６を有する。
【００３２】
また、この突出部３６は、図４に示すように、脚柱部６３に設けた２個の突起７１により形成される谷部７３に一山形状の突出部３６の先端を嵌合するように係合させる大きさとしている。
【００３３】
そして、突出部３６を谷部７３に係合させたとき、突出部３６の上面が突起部の上面と略一致すると共に、突出部３６の下面と突起部の下面も略一致するようにしている。
【００３４】
従って、脚本体６０を右回り又は左回りに一回転させたとき、脚本体６０は螺子の１ピッチ分だけ脚取付け部２１からの突出量を伸縮させるように脚取付け部２１に対して移動し、突起部の２個の突起７１は突出部３６の上方又は下方に移動することになる。
【００３５】
このため、後調整脚５５である脚本体６０を筐体１０の水平調整のために複数回回転させても、弾性変形部３５の突出部３６が突起部とする２個の突起７１の間に形成された谷部７３に係合するのは１回だけとなり、多くの場合、谷部７３を形成する２個の突起７１は突出部３６の上方又は下方を通過することになる。
【００３６】
従って、谷部７３と突出部３６とが係合したときに後調整脚５５が筐体１０の底板１１から突出する量と固定式の後脚５３の突出する量とを一致させておけば、谷部７３と突出部３６とが係合したときを基準位置とし、脚本体６０を回転させることにより後調整脚５５の突出量を増減させて筐体１０を水平な安定状態に調整することができる。
【００３７】
また、図３及び図４に示した突起部は、２個の突起７１により谷部７３を形成しているも、突起部として単一の突起７１を有する一山形状とし、突出部３６を二山形状として突出部３６の先端において緩衝溝部３７側に窪んだ窪みを形成し、窪みの両側を開口部３３に突出させることもある。
【００３８】
このように、突起部又は突出部３６を二山形状とし、突起部において２個の突起７１の間に谷部３７を形成する、又は突出部３６の先端中央に窪みを形成することにより、脚本体６０を回転させて突起部と突出部３６とを係合させるとき、２個の突起７１又は窪み両側の突出部分により２回の連続した回転抵抗を生じさせ、脚頭部６１を回転させる指先にクリック感を確実に感じさせることができる。
【００３９】
尚、突起部又は突出部３６を二山形状とする場合のみでなく、突起部及び突出部３６の両者を共に単純な一山形状として構造を単純化することもある。
【００４０】
この場合は、脚本体６０を右側に又は左側に回転させるとき、回転方向により突起部と突出部３６とが接触して回転抵抗を生じさせる位置が僅かにずれることになる。しかし、脚本体６０の１ピッチ幅の数分の１の僅かな後調整脚５５の脚長の誤差であり、パッド６２の弾性圧縮変形で吸収させて基準位置とすることができる。
【００４１】
また、上記実施の形態は、脚柱部６３の外周に２個の突起７１により谷部３７を設け、脚支持部２３に設ける開口部３３の半径を脚柱部６３の半径と突起７１の突出量との和よりも大きくしているも、図５に示すように、開口部３３の半径を脚柱部６３の半径よりも僅かに大きくし、突出部３６と係合する凹部７５を脚柱部６３の外周に形成することもある。
【００４２】
この場合も、脚柱部６３の軸方向である凹部７５の幅を雄螺子部６５のピッチ幅よりも小さくし、凹部７５に突出部３６が係合した状態から脚本体６０を一回転させたとき、凹部７５が突出部３６の上方又は下方を通過して凹部７５に突出部３６が係合しないようにして、脚本体６０の複数回の回転において１回だけの係合が可能になるようにする。
【００４３】
そして、このように脚柱部６３に設けた突起部又は凹部７５と脚支持部２３に形成する突出部３６とを係合させるに際し、開口部３３に沿った円弧形状の緩衝溝部３７によって開口部３３の周縁の一部に弾性変形部３５を形成してこの弾性変形部３５の中央に突出部３６を形成しているため、突出部３６先端の開口部３３側又は緩衝溝部３７側への移動変化量を大きくし、突出部３６と突起７１又は凹部７５との係合深さを大きくしてクリック感を確実に検出することができる。
【００４４】
尚、緩衝溝部３７を省略し、弾性変形部３５を形成することなく突出部３６を開口部３３の周縁に形成し、突出部３６自体の変形、突起７１自体の変形、又は突出部３６自体の変形と突起部における突起７１自体の変形とにより、クリック感を生じさせることもある。
【００４５】
このように、脚支持部２３とする筒部２５や雌螺子部３１により、開口部３３を貫通させた脚本体６０を回転可能に支持し、雄螺子部６５と雌螺子部３１との螺合によって脚頭部６１の脚取付け部２１からの突出量を調整可能とし、１回の回転による脚本体６０の突出量変化を小さくしつつ複数回の脚本体６０の回転により脚頭部６１の脚取付け部２１からの突出量の変化に幅を持たせ、且つ、中間位置を基準位置とすることにより、基準位置よりも短くする回転と基準位置よりも長くする回転を可能として調整を容易とすることができる。
【００４６】
（第２の実施形態）
また、上述の第１の実施形態は、脚本体６０を回転させて高さ調整を可能とするアジャスタとしているが、脚本体６０を回転させるのではなく、脚柱部６３の外周に設ける調整リング４１を回転させて脚本体６０の突出量を調整するアジャスタとすることもある。
【００４７】
この第２の実施形態では、図６に示すように、脚取付け部２１に環状の調整リング４１を設け、この調整リング４１を貫通する脚本体６０を有する後調整脚５５とする。
【００４８】
この調整リング４１は、図６及び図７に示すように、外周面にローレットを設けた環状のツマミ部４３を有し、ツマミ部４３の内縁と一体とされる円筒状の筒部２５を有するものとする。
【００４９】
この筒部２５は、小径部２６と大径部２７とを有し、小径部２６を脚取付け部２１の穴部に嵌合させ、大径部２７とツマミ部４３とで脚取付け部２１を挟むようにして調整リング４１を回転可能に脚取付け部２１に取り付ける。
【００５０】
そして、小径部２６の内側には、環状形状の薄板とされて内側に開口部３３を形成する環状突出板４５を有し、この環状突出板４５の内側の開口部３３に脚柱部６３を貫通させ、環状突出板４５には、図８に示すように、前記第１の実施形態と同様に円弧状の緩衝溝部３７を設けて突出部３６を備える弾性変形部３５を形成している。
【００５１】
また、大径部２７の先端には内周に雌螺子を形成した雌螺子部３１を有し、雌螺子部３１の雌螺子を脚本体６０の雄螺子と螺合させる。
【００５２】
この脚本体６０は、パッド６２を有する脚頭部６１と、脚頭部６１よりも直径が小さく、外周に２個の突起７１による突起部を有して２個の突起７１の間に谷部７３を形成した脚柱部６３を有し、脚柱部６３の端部に雄螺子部６５を有することは前記の第１実施形態と同様である。
【００５３】
そして、雄螺子部６５の端部には、角柱形状の先端部６７を有し、この先端部６７を筐体１０の内部に設けた脚受け部４８の挿入穴４９に挿入する。
【００５４】
脚受け部４８は、角柱形状の先端部６７の水平断面と略一致するように断面形状を矩形とした挿入穴４９を備え、挿入穴４９に挿入された脚本体６０の先端部６７が回転することを阻止し、先端部６７を摺動させるようにして脚本体６０の先端部６７を挿入及び引出し可能に保持する。
【００５５】
従って、この第２の実施形態では、後調整脚５５とする脚本体６０の回転が阻止され、調整リング４１のツマミ部４３を指先で摘んで調整リング４１を回転させると、雄螺子と雌螺子との螺合により脚本体６０の突出量が伸長短縮し、環状突出板４５に形成された弾性変形部３５の突出部３６と脚柱部６３に設けた２個の突起７１により形成された谷部７３との係合により基準位置を検出しつつ脚本体６０を伸縮させることができる。
【００５６】
また、この第２実施形態においても、図９に示すように、脚柱部６３に１個の凹部７５を設け、弾性変形部３５の突出部３６を凹部７５と係合させることにより基準位置を検出可能とすることもある。
【００５７】
尚、第２の実施形態においても、第１の実施形態と同様に、突起部を二山形状とする場合のみでなく、突出部３６を二山形状とする場合、突起部及び突出部３６を共に一山形状として構造を単純化する場合、緩衝溝部３７を省略して構造を単純化する場合などが有る。
【００５８】
そして、上記第１の実施形態及び第２の実施形態では、電子機器であるプロジェクタの後脚の一方を固定脚とし、２個の後脚の内の一方のみをアジャスタとしたが、２個の後脚を共に後調整脚５５として電子機器の底板１１に設ける３個の脚の内の２個を水平調整可能なアジャスタとすることもある。
【００５９】
即ち、脚柱部６３に設ける２個の突起７１により形成する突起部、又は凹部７５と、脚支持部２３に設ける突出部３６との係合により基準位置を検出可能とするアジャスタとしての後調整脚５５を２個とする。
【００６０】
このように、後調整脚５５を２個設けることにより、一方を基準位置よりも突出量の大きい後調整脚５５とし、他方を基準位置よりも突出量の小さな後調整脚５５とするように調整することができ、水平調整を行う際の調整幅を大きくすることができる。
【００６１】
そして、第２の実施形態では、ツマミ部４３により脚支持部２３を回転させ、脚本体６０を回転させることなく伸縮させるため、脚頭部６１を床面等に接触させた状態で後調整脚５５に係る荷重を調整するように後調整脚５５である脚本体６０の長さ調整を行う際、床面等に対して脚頭部６１のパッド６２等が回転によるずれを生じさせないために調整を容易に行うことができる。
【００６２】
そして、図１に示した電子機器としてのプロジェクタは、前方を高くして筐体１０を傾斜させることあるため、前脚５１を大きく長さ調整可能としているも、一般的な多くの電子機器は、筐体を水平に維持するように載置するものが多く、三角形状に３個の脚を配置する３脚、又は、筐体の４隅に脚を配置する４脚として床面や机上に配置される。
【００６３】
従って、筐体を３個の脚で常に水平に支持する電子機器では、前述の様に少なくとも１個をアジャスタとすることにより水平調整が可能となる。しかし、２個の脚を前記アジャスタとし、又は、３個の脚全てを前記したアジャスタとして、適宜に長さ調整が可能な脚部とすることも有る。
【００６４】
このように、３脚全てを上記したアジャスタとすることにより、床面や卓上面の微細な凹凸に合わせて所要の個所となる１個又は２個の脚を伸縮させて長さ調整を行うことにより、容易かつ迅速に筐体を水平に維持させることができる。
【００６５】
また、このアジャスタとしての基準位置検出を可能とする突出量調整が可能な脚部は、電子機器に合わせて４個の脚を有す電子機器では隣接する２個又は３個の脚に用いることや、４個全ての脚に用いることもできる。
【００６６】
このように、４脚全てを上記したアジャスタとすることにより、床面や卓上面の微細な凹凸に合わせて所要の個所となる１個又は２個の脚を伸縮させて長さ調整を行うことにより、容易かつ迅速に筐体を水平に維持させることができ、２個又は３個が上記したアジャスタとする場合も、筐体の設置位置と合わせて１個又は２個の脚を伸縮させて長さ調整を行うことにより、筐体を水平に維持させることができる。
【００６７】
尚、上記第１及び第２の実施形態におけるアジャスタにおいて、突起部３６は、二山形状とする２個の突起により２個の突起の間に谷部を形成し、突出部は単一の一山形状とされる、又は、突出部３６は、二山形状として突出部３６の中央先端に窪みを有し、突起部は単一の一山形状とされる、としたが、突起は２個に限るものではない。少なくとも突起が１個あれば良い。
【００６８】
また、脚本体６０が雄螺子部６５を有し、脚支持部２３が雌螺子部３１を有するとしたが、これに限らない。脚本体６０が雌螺子部を有し、脚支持部２３が雄螺子部を有するとしても良い。
【００６９】
更に、上記第１及び第２の実施形態において、アジャスタの基準位置を１箇所だけ設けたが、例えば、調整可能な軸方向（高さ方向）の中心位置（２分の１）に大きな突起を設け、調整可能な長さの上から４分の１（基準位置より上側）及び調整可能な長さの上から４分の３（基準位置より下側）に小さな突起を設け、２か所又は３か所等、複数の基準位置を設けても良い。即ち、基準位置は少なくとも一つあれば良い。
【００７０】
また、脚柱部６３の中間高さ位置に形成された２個の突起７１による突起部は、脚柱部６３の軸方向となる厚さｔを雄螺子部６５のピッチ幅よりも小さな厚さとされる板状とし、脚柱部６３の円周方向には２個の突起７１の間に谷部７３を形成しているとした。しかし、この構成に限らない。
【００７１】
脚本体６０は、Ｎ個（Ｎは自然数）の突出部３６と係合可能なＮ個の突起部又はN個の凹部７５を有し、１個の突起部は、１個の突出突起、又は２個の突起７１間に谷部７３が形成された形状であり、突出部３６、突起部又は凹部７５は、脚本体６０の軸方向の幅が、第１の螺子部の螺子ピッチの１／Nよりも小さく形成されていれば良い。
【００７２】
例えば、脚本体６０の外周に形成された凹部７５又は谷部７３が２個形成されている場合、凹部７５又は谷部７３は、互いに１８０度反対側の略対称な位置に形成されている。同様に、脚支持部２３に形成する突出部３６も２個として、相互に等間隔となるように脚柱部６３の中心軸と直行する平面の高さで互いに１８０度反対側の略対称な位置に形成する。従って、２個の突出部３６は、脚柱部６３の両側で同時に突起部又は凹部７５と係合する。
【００７３】
そして、突出部３６、突起部又は凹部７５は、脚本体６０の軸方向の幅が、第１の螺子部の螺子ピッチの１／２よりも小さく形成されている。このため、脚本体６０を複数回転させて脚本体６０の突出量を調整する場合でも、クリック感は２個の突出部３６が同時に突起部又は凹部７５と係合する１回だけとなる。
【００７４】
同様に、脚本体６０の外周に形成された凹部７５又は突起による谷部７３が３個形成されている場合、脚支持部２３に形成する突出部３６も含め、各々が脚柱部６３の中心軸と直行する平面とする同一高さで１２０度ピッチの等間隔に形成する。従って、３個の突出部３６は、同時に３個の突起部又は凹部７５と係合する。そして、突出部３６、突起部又は凹部７５は、脚本体６０の軸方向の幅が、第１の螺子部の螺子ピッチの１／３よりも小さく形成されている。このため、脚本体６０を複数回転させて脚本体６０の突出量を調整する場合でも、クリック感は１回だけとなる。
【００７５】
このような構成とすることで、１個の突起部又は１個の凹部７５を有する脚本体６０が、１個の突出部３６と係合する場合と比較して、突出部３６との抵抗が脚柱部６３の中心方向に周囲から同時に加わり、脚本体６０の回転時におけるクリック感を確実に得ることができる。従って容易に基準位置を知ることができる。
【００７６】
尚、２個又は３個の突出部３６を１組とし、２個又は３個を１組とする突起部又は凹部７５を複数組とし、脚柱部６３の軸方向長さのほぼ中央に１組の突起部又は凹部７５を形成すると共に、この１組の上方部に１組、又は下方部に１組や、上方部及び下方部に各１組の突起部又は凹部７５を更に形成し、複数組とした突起部又は凹部７５を設けることにより、第１の実施形態や第２の実施形態の場合と同様に、複数の基準位置を設けることもある。
【００７７】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００７８】
以下に、本願出願の最初の特許請求の範囲に記載された発明を付記する。
[１]   第１の螺子部を有する脚本体と、
前記脚本体を貫通させる開口部、及び、前記第１の螺子部に回転可能に螺合する第２の螺子部、を有する脚支持部と、
を備え、
前記脚支持部は、前記開口部に突出するＮ個（Ｎは自然数）の突出部を有し、
前記脚本体は、前記突出部と少なくとも同数であって前記突出部と係合可能な突起部又は凹部を有し、
１個の前記突起部は、１個の突出突起、又は２個の突起間に谷部が形成された形状であり、
前記突出部、前記突起部、前記凹部は、前記脚本体の軸方向の幅が前記第１の螺子部の螺子ピッチの１／Nよりも小さく形成されていることを特徴とするアジャスタ。
[２]   前記突出部は１個（Ｎ＝１）であって、前記突起部又は凹部は１個乃至３個であることを特徴とする前記[１]に記されたアジャスタ。
[３]   前記突出部は複数個（Ｎ≧２）であって、前記複数個の突出部は前記開口部の周縁に等間隔に配置され、前記複数個の突出部は同時に前記突起部又は凹部と係合することを特徴とする前記[１]に記されたアジャスタ。
[４]   前記脚本体は、脚頭部及び脚柱部を有し、
前記脚支持部は、前記脚柱部を収納可能とする筒部を有し、
前記第１の螺子部は雄螺子部、前記第２の螺子部は雌螺子部であることを特徴とする前記[１]乃至前記[３]の何れかに記されたアジャスタ。
[５]   前記１個の突起部が、前記２個の突起間に谷部が形成された形状からなる場合、前記突出部は単一の一山形状とされることを特徴とする前記[１]乃至前記[４]の何れかに記されたアジャスタ。
[６]   前記１個の突起部が、前記１個の突出突起からなる場合、前記突出部は、二山形状として突出部の中央先端に窪みを有することを特徴とする前記[１]乃至前記[４]の何れかに記されたアジャスタ。
[７]   前記突出部は、前記開口部に沿った円弧状の溝部と開口部との間に形成される弾性変形部に設けられていることを特徴とする前記[１]乃至前記[６]の何れかに記されたアジャスタ。
[８]   前記脚支持部は、電子機器の底板に設けられ、前記脚本体の複数回の回転が可能とされていることを特徴とする前記[１]乃至前記[７]の何れかに記されたアジャスタ。
[９]   前記脚支持部はツマミ部を有し、前記開口部は前記筒部の内周に設けられた環状突出板に形成され、前記脚支持部が電子機器の底板に対して回転可能とされていることを特徴とする前記[１]乃至前記[７]の何れかに記されたアジャスタ。
[１０]   底部に３個又は４個の脚を有し、前記脚の内、少なくとも１個が前記[１]乃至前記[９]の何れかに記載されたアジャスタであることを特徴とする電子機器。
[１１]  ３個の脚を底部の底板に有し、１個の前記脚を前脚とし、２個の前記脚を後脚とすると共に、前記後足の一方が前記[１]乃至前記[９] の何れかに記載されたアジャスタとされたプロジェクタであることを特徴とする前記[１０]に記載された電子機器。
【符号の説明】
【００７９】
１０  筐体
１１  底板                          １２  上面板
１３  側壁                          １５  ネジ穴
１７  投影口                        １９  吸排気孔
２１  脚取付け部                    ２３  脚支持部
２５  筒部                          ２６  小径部
２７  大径部
３１  雌螺子部                      ３３  開口部
３５  弾性変形部                    ３６  突出部
３７  緩衝溝部
４１  調整リング                    ４３  ツマミ部
４５  環状突出板
４８  脚受け部                      ４９  挿入穴
５１  前脚                          ５３  後脚
５５  後調整脚
６０  脚本体
６１  脚頭部                        ６２  パッド
６３  脚柱部                        ６５  雄螺子部
６７  先端部
７１  突起                          ７３  谷部
７５  凹部                          ７９  係合爪
【図１】
0006674625.tif 000002
【図２】
0006674625.tif 000003
【図３】
0006674625.tif 000004
【図４】
0006674625.tif 000005
【図５】
0006674625.tif 000006
【図６】
0006674625.tif 000007
【図７】
0006674625.tif 000008
【図８】
0006674625.tif 000009
【図９】
0006674625.tif 000010